【手続補正書】
【提出日】平成28年3月7日(2016.3.7)
【手続補正１】
【補正対象書類名】特許請求の範囲
【補正対象項目名】請求項１
【補正方法】変更
【補正の内容】
【請求項１】
前後に開口した背フレームと、前記背フレームの開口を手前から覆うように配置されたサポート体とを有しており、前記サポート体は、全体が板状である形態と、枠体にメッシュ材が張られた形態とを含んでいて、前記サポート体のうち少なくとも左右側部を前記背フレームに取り付けている構成であって、
前記サポート体の少なくとも左右側部と前記背フレームの少なくとも左右側部とに、前記サポート体を背フレームに手前から重ねて押し込むか又は下向きにずらすと互いに嵌合してサポート体を背フレームから離脱不能に保持する係合手段が設けられていると共に、前記サポート体の下端部と背フレームの下端部とに、前記サポート体を嵌め込み高さよりも下にいったん下げた状態でずり上げると互いに嵌合して前記サポート体を左右中央に位置合わせするガイド体が形成されている、
椅子の背もたれ。
【手続補正２】
【補正対象書類名】明細書
【補正対象項目名】０００２
【補正方法】変更
【補正の内容】
【０００２】
椅子の背もたれを前後開口の背フレームと体圧支持のためのサポート体とで構成することは、例えば本願出願人の先願に係る特許文献１に開示されている。この特許文献１では、背フレームの左右側部を構成するサイドメンバーの全体と、上端部を構成するアッパーメンバーの左右端部とには前向き開口の溝が形成されており、この溝内に設けた背フレーム側係合部にサポート体側係合部を嵌め込むことで、サポート体が背フレームに離脱不能に保持されている。
【手続補正３】
【補正対象書類名】明細書
【補正対象項目名】０００６
【補正方法】変更
【補正の内容】
【０００６】
本願発明は、請求項１に記載したように、
前後に開口した背フレームと、前記背フレームの開口を手前から覆うように配置されたサポート体とを有しており、前記サポート体は、全体が板状である形態と、枠体にメッシュ材が張られた形態とを含んでいて、前記サポート体のうち少なくとも左右側部を前記背フレームに取り付けている構成であって、
前記サポート体の少なくとも左右側部と前記背フレームの少なくとも左右側部とに、前記サポート体を背フレームに手前から重ねて押し込むか又は下向きにずらすと互いに嵌合してサポート体を背フレームから離脱不能に保持する係合手段が設けられていると共に、前記サポート体の下端部と背フレームの下端部とに、前記サポート体を嵌め込み高さよりも下にいったん下げた状態でずり上げると互いに嵌合して前記サポート体を左右中央に位置合わせするガイド体が形成されている。
【手続補正４】
【補正対象書類名】明細書
【補正対象項目名】０００９
【補正方法】変更
【補正の内容】
【０００９】
請求項２のように、背フレームのうちサポート体が取り付けられる部分を溝状に構成すると、内外の壁のリブ効果によって高い剛性を確保できる利点がある。また、請求項２のように、背フレームにおける溝の内部にハ字型のガイド片を設けると、サポート体を取り付けるにおいて、例えばサポート体のガイド片を溝の下面に当てることにより、ガイド突起の当初の挿入位置の目安つけることができるため、取り付けをより簡単に行える。
【手続補正５】
【補正対象書類名】明細書
【補正対象項目名】００１２
【補正方法】変更
【補正の内容】
【００１２】
(1).概略
次に、本願発明の実施形態を図面に基づいて説明する。図１のとおり、本実施形態の椅子は脚装置１を金属パイプで構成したいわゆるパイプ椅子であり、座２は、跳ね上げ回動できるように、可動ベース体３を介して左右の支持フレーム（背支柱）４に取り付けられている。従って、本実施形態の椅子はネスティングも可能である。背もたれ５は支持フレーム４にロッキング自在に取り付けられているが、ロッキング構造は本願発明と直接の関係がないので、その説明は省略する。
【手続補正６】
【補正対象書類名】明細書
【補正対象項目名】００１４
【補正方法】変更
【補正の内容】
【００１４】
背フレーム７の開口６は、正面視で下部は湾曲して上端はフラットな形態であり、サポート体８は開口６と相似形になっている。サポート体８も樹脂製であり、外周部を除いた部分に縦横に多数の小穴１２を整列して設けることにより、格子状に近い外観を呈している。サポート体８にも工夫が施されているが、この点は後述する。
【手続補正７】
【補正対象書類名】明細書
【補正対象項目名】００１５
【補正方法】変更
【補正の内容】
【００１５】
背フレーム７は、おおまかには、左右のサイドメンバー１４と、その上端を繋ぐアッパーメンバー１５と、下端を繋ぐロアメンバー１６とで構成されており、アッパーメンバー１５の左右両端部を除いて、内周部に内壁１７と外壁１８とで囲われた溝１９を形成している。内外の壁１７，１８の存在により、背フレーム７は高い強度を確保している。内外の壁１７，１８はアッパーメンバー１５の大部分においては存在しておらず、このため、背フレーム７のアッパーメンバー１５とサポート体８の上端との間には空間が空いている。このため、人はアッパーメンバー１５を掴んで椅子を移動させることができる。
【手続補正８】
【補正対象書類名】明細書
【補正対象項目名】００１６
【補正方法】変更
【補正の内容】
【００１６】
そして、この溝１９の内部に、上から順に、上係合部２０、第１サイド規制部２１、第１及び第２のサイド係合部２２、第２サイド規制部２３、第３サイド係合部２４、下係合部２５を形成し、更に、溝１９の下端の左右中間部に、正面視ハ字形の姿勢を成す左右一対のガイド片２６を設けている。ガイド片２６は中心線を挟んで対称の形態になっており、従って、ガイド片２６は一対のみであるが、各係合部２０，２２，２４，２５と規制部２１，２３とは縦長中心線を挟んだ両側に対称に配置されている。
【手続補正９】
【補正対象書類名】明細書
【補正対象項目名】００２１
【補正方法】変更
【補正の内容】
【００２１】
この場合、サイド規制突起２８，３０の外側面に、当該サイド規制突起２８，３０よりも低い高さの補助段部３７を設けている。補助段部３７は、外側の挟持体３６の下面側に位置するように設定しており、このため、サポート体８の上向き動が阻止されている。図６に明示するように、下部のサイド規制部２３には、挟持体３６の下面に連なった底板３８を設けている。
【手続補正１０】
【補正対象書類名】明細書
【補正対象項目名】００２６
【補正方法】変更
【補正の内容】
【００２６】
以上の構成において、サポート体８を取り付ける場合は、まず、サポート体８をセット状態よりもやや手前に倒した姿勢にして、ガイド突起３３を左右ガイド片２６の間に下から嵌め入れ、次いで、サポート体８を上向き移動させる。
【手続補正１１】
【補正対象書類名】明細書
【補正対象項目名】００２７
【補正方法】変更
【補正の内容】
【００２７】
すると、サポート体８はその中心が背フレーム７の中心と一致するように位置合わせされる。従って、ガイド突起３３を内壁１７の下面に当てた状態で、サポート体７の全体を背フレーム７に向けて押し付けると、強制嵌合により、各係合爪２７，２９，３２が係合部２０，２２，２５に引っ掛かり係合すると共に、規制突起２８，規制体４１が規制部２１等に嵌入し、これにより、サポート体８の取り付けが完了する。このように、ガイド片２６とガイド突起３３とで左右方向の位置決めがされることにより、サポート体８の取り付けを正確かつ迅速に行える。
【手続補正１２】
【補正対象書類名】明細書
【補正対象項目名】００２９
【補正方法】変更
【補正の内容】
【００２９】
また、サポート体８は図示のような格子状の形態である必要はなく、単なる板であってもよい。小穴の群の有無に関係なく、前面にクッションを張ることも可能である。また、サポート体は特許文献１に開示されているように左右横長のスリットが多段に形成された形態も採用できる。或いは、サポート体を、前後に開口した枠体にメッシュ材が張られた構成とすることも可能である。
【手続補正１３】
【補正対象書類名】明細書
【補正対象項目名】００３４
【補正方法】変更
【補正の内容】
【００３４】
これに対して本実施形態のように小穴１２の縦列の上方と下方とに凹所４５を形成すると、サポート体８の縁部の強度低下を招来することなく縦長のライン４４の長さを長くできるため、縦長のライン４４による美的効果を高めることができる。
【手続補正１４】
【補正対象書類名】明細書
【補正対象項目名】００３８
【補正方法】変更
【補正の内容】
【００３８】
また、本実施形態では小穴１２の上端と下端は円弧状なっていることから、横長の条線４３は隅肉をつけた状態になっていて、特に強度に優れている。本実施形態では、縦長ライン４４の横幅と小穴１２の横幅とを略同じ程度に設定しているが、このような関係に設定すると、小穴１２の列と縦長ライン４４とのバランスが取れていて特に好ましい。
【手続補正１５】
【補正対象書類名】明細書
【補正対象項目名】００４０
【補正方法】変更
【補正の内容】
【００４０】
５  背もたれ
６  開口
７  背フレーム
８  サポート体
１２  小穴
１７  内壁
１８  外壁
１９  溝
２０  係合手段を構成する上係合部
２１  上規制部
２２，２４  係合手段を構成するサイド係合部
２３  サイド規制部
２５  係合手段を構成する下係合部
２６  ガイド片
２７  係合手段を構成する上係合爪
２８，３０  第１サイド規制突起
２９，３１  係合手段を構成するサイド上係合爪
３２  下係合爪
３３  ガイド突起
【手続補正１６】
【補正対象書類名】図面
【補正対象項目名】全図
【補正方法】変更
【補正の内容】
【図１】
2014097194.tif 000001
【図２】
2014097194.tif 000002
【図３】
2014097194.tif 000003
【図４】
2014097194.tif 000004
【図５】
2014097194.tif 000005
【図６】
2014097194.tif 000006
【図７】
2014097194.tif 000007
【図８】
2014097194.tif 000008